(57)【要約】  【課題】  スライスされたローブを円滑に且つ迅速に分割搬出することを可能とする。  【解決手段】搬送方向に直線的に延びる搬送面１２を有し、該搬送面上に載せて前進・停止の間欠搬送作用を行う搬送手段と、搬送面の前端部分上にあるスライス食パンを掬い上げて搬出する搬出手段とを有する。搬送面１２の前端部分２５が、該前端部分よりも搬送方向上流側の部分に対して段差をもった下の位置で平行に設定される。搬出手段が、前端部分から搬送方向に延びる仮想延長面２７より下の位置において該仮想延長面に平行で該搬送方向に対して直交する方向に延びる回転中心軸線２６を有する回転搬出部材１６を有する。回転搬出部材は、回転搬出部材の回転にともなって、搬送面の前端部分２５を上方に通過して前端部分上の所定枚数のスライス食パンを載せて上方へ搬出する搬出面２８を有する。【選択図】図２
2008007282.tif 000002
【特許請求の範囲】
【請求項１】
搬送方向に直線的に延びる搬送面を有し、スライス食パンをそのスライス面が該搬送面に対して直立した状態で且つスライス面相互が接するようにして該搬送方向で並べ該搬送面上に載せて前進・停止の間欠搬送作用を行う搬送手段と、
停止された該スライス食パンの該搬送面の前端部分上にある所定枚数を掬い上げて搬出する搬出手段と、
を有し、
該搬出手段が、該搬送面から搬送方向に延びる仮想延長面上若しくは該仮想延長面より下の位置において、該仮想延長面に平行で該搬送方向に対して直交する方向に延びる回転中心軸線を有する回転搬出部材を有し、
該回転搬出部材が、該回転搬出部材の回転にともなって、該搬送面の前端部分を上方に通過して該前端部分上の該所定枚数のスライス食パンを載せて上方へ搬出する搬出面を有し、該所定枚数のスライス食パンを載せるときの該搬出面が、該仮想延長面に沿って延び、若しくは、該仮想延長面に対して傾斜して当該回転搬出部材の半径方向内側に向うに従い該仮想延長面から離れるようにされていることを特徴とするスライス食パン分割搬出装置。
【請求項２】
搬送方向に直線的に延びる搬送面を有し、スライス食パンをそのスライス面が該搬送面に対して直立した状態で且つスライス面相互が接するようにして該搬送方向で並べ該搬送面上に載せて前進・停止の間欠搬送作用を行う搬送手段と、
停止された該スライス食パンの該搬送面の前端部分上にある所定枚数を掬い上げて搬出する搬出手段と、
を有し、
該搬送面の前端部分が、該搬送面における該前端部分より搬送方向上流側の部分に対して段差をもった下の位置で平行に設定され、
該搬出手段が、該前端部分から搬送方向に延びる仮想延長面若しくは該仮想延長面より下の位置において該仮想延長面に平行で該搬送方向に対して直交する方向に延びる回転中心軸線を有する回転搬出部材を有し、
該回転搬出部材が、該回転搬出部材の回転にともなって、該搬送面の前端部分を上方に通過して該前端部分上の該所定枚数のスライス食パンを載せて上方へ搬出する搬出面を有し、該所定枚数のスライス食パンを載せるときの該搬出面が、該仮想延長面に沿って延び、若しくは、該仮想延長面に対して傾斜して当該回転搬出部材の半径方向内側に向うに従い該仮想延長面から離れるようにされていることを特徴とするスライス食パン分割搬出装置。
【請求項３】
搬送方向に直線的に延びる搬送面を有し、スライス食パンをそのスライス面が該搬送面に対して直立した状態で且つスライス面相互が接するようにして該搬送方向で並べ該搬送面上に載せて前進・停止の間欠搬送作用を行う搬送手段と、
該搬送手段から押し出されてくる該スライス食パンの先頭部分の所定枚数を受け入れて搬出する搬出手段と、
を有し、
該搬出手段が、該搬送面から搬送方向に延びる仮想延長面上若しくは該仮想延長面より下の位置において、該仮想延長面に平行で該搬送方向に対して直交する方向に延びる回転中心軸線を有する回転搬出部材を有し、
該回転搬出部材が、
搬送手段によって搬送され、該搬送面の前端縁から押し出される所定枚数のスライス食パンを載せて搬出する搬出面を有し、
該回転搬出部材が、回動・停止の間欠的回動がなされるようにされ、
該搬出面が、該回転搬出部材の停止したときに、該搬送面の前端縁と同じ高さで隣接した位置から、該仮想延長面に沿って延び、若しくは、該仮想延長面に対して傾斜して当該回転搬出部材の半径方向内側に向うに従い該仮想延長面から離れるようにされた状態で、該搬送面の前端縁から押し出される所定枚数のスライス食パンを受け取るようになされていることを特徴とするスライス食パン分割搬出装置。
【請求項４】
搬送方向に直線的に延びる搬送面を有し、スライス食パンをそのスライス面が該搬送面に対して直立した状態で且つスライス面相互が接するようにして該搬送方向で並べ該搬送面上に載せて前進・停止の間欠搬送作用を行う搬送手段と、
該搬送手段から押し出されてくる該スライス食パンの先頭部分の所定枚数を受け入れて搬出する搬出手段と、
を有し、
該搬出手段が、該搬送面から搬送方向に延びる仮想延長面上若しくは該仮想延長面より下の位置において、該仮想延長面に平行で該搬送方向に対して直交する方向に延びる回転中心軸線を有する回転搬出部材を有し、
該回転搬出部材が、
搬送手段によって搬送され、該搬送面の前端縁から押し出される所定枚数のスライス食パンを載せて搬出する搬出面を有し、
該回転搬出部材が、回動・停止の間欠的回動がなされるようにされ、
該搬出面が、該回転搬出部材の停止したときに、該搬送面の前端縁に段差をもった下の位置で、該仮想延長面に平行に延び、若しくは、該仮想延長面に対して傾斜して当該回転搬出部材の半径方向内側に向うに従い該仮想延長面から離れるようにされた状態で、該搬送面の前端縁から押し出される所定枚数のスライス食パンを受け取るようになされていることを特徴とするスライス食パン分割搬出装置。
【請求項５】
該搬送手段が、
該搬送面を備える搬送プレートと、
該搬送プレートに対して該搬送方向で変位可能に設定され、該搬送面の前端縁よりも前方に伸張して該搬送面の前端縁から押し出されてくるスライス食パンを載置する前進位置と、該前進位置から該前端縁よりも後方に変位されて載置していたスライス食パンを、停止されている該回転搬出部材の該搬出面上に落とし載せる補助プレートとを有することを特徴とする請求項４に記載のスライス食パン分割搬出装置。
【請求項６】
該回転搬出部材が間欠的に回動されるようになされ、該搬出面が該搬送面の該前端部分と同じ高さ若しくはその下の位置で該前端部分に隣接された状態で停止されるようにし、
該回転搬出部材が停止された位置において、該搬送面の該前端部分に押し出されてくる所定枚数のスライス食パンの前端面に隣接して、該スライス食パンが倒れないように支持する支持部材を有する
ことを特徴とする請求項１又は２に記載のスライス食パン分割搬出装置。
【請求項７】
該回転搬出部材が停止された位置において、該搬送面から押し出されてくる所定枚数のスライス食パンの前端面に隣接して、該スライス食パンが倒れないように支持する支持部材を有する
ことを特徴とする請求項３乃至５のいずれかに記載のスライス食パン分割搬出装置。
【請求項８】
該支持部材を該半径方向内側に付勢する付勢手段と、
該付勢手段に抗して該支持部材を該半径方向外側に変位させるカム手段であって、  該支持部材が、該回転搬出部材が停止された状態において、該搬送面の前端部分に該所定枚数のスライス食パンが押し出されたときの該スライス食パンの前端面と接する位置となるようにし、該回転搬出部材が回動されて該支持部材が該回転搬出部材と共に回動されるときに、該支持部材が該付勢手段によって半径方向内側に変位されるのを許容するカム輪郭曲面を有するカム手段と
を有することを特徴とする請求項６に記載のスライス食パン分割搬出装置。
【請求項９】
該支持部材を該半径方向内側に付勢する付勢手段と、
該付勢手段に抗して該支持部材を該方向半径方向外側で変位させるカム手段であって、該支持部材が、該回転搬出部材が停止された状態において、該搬出面上に該所定枚数のスライス食パンが押し出されたときの該スライス食パンの前端面と接する位置となるようにし、該回転搬出部材が回動されて該支持部材が該回転搬出部材と共に回動されるときに、該支持部材が該付勢手段によって半径方向内側に変位されるのを許容するカム輪郭曲面を有するカム手段と
を有することを特徴とする請求項７に記載のスライス食パン分割搬出装置。
【発明の詳細な説明】
【技術分野】
【０００１】
本発明は、スライスされた食パンを所定の枚数毎に分割搬出するためのスライス食パン分割搬出装置に関する。
【背景技術】
【０００２】
２斤若しくは３斤分のローブとして焼成される食パンは、通常、スライスされて所定枚数毎に分割され包装されて製品とされる。
【０００３】
スライス食パンを所定枚数毎に分割する技術は種々開発されてきているが、例えば、特開２０００−２１９３１６（特許文献１）は、スライスされ前後に並んだ状態のスライス食パンを搬送する水平に延びるコンベアを備え、該コンベアの前端部分に下方への傾斜部を形成し、コンベアによって搬送されてきたスライス食パンの先頭部分が該傾斜部に入ることにより、それよりも後続のスライス食パンとの間に楔形の隙間が形成され、分割されるようにした装置を開示している。
【発明の開示】
【発明が解決しようとする課題】
【０００４】
この装置は、上記の如き隙間が形成されるので、分割された先頭部分のスライス食パンと、コンベア上に残されるスライス食パンとの間のスライス面間の摩擦を生じることなく、円滑に排出することを可能とする。
【０００５】
しかし、この装置では、スライス食パンが、コンベアの水平な部分から傾斜部分に移るときに、各スライス食パンはその前後にあるスライス食パンから離されて単独で起立した状態となる。このため、特に、柔らかなスライス食パンは、コンベア上で起立した状態を維持することが困難であり、腰折れなどを生じる虞がある。また、水平なコンベアによって搬送されてきたスライス食パンを、円滑に傾斜部に入るようにするためには、搬送速度を余り早くすることができない、といった問題があった。
【特許文献１】特開２０００−２１９３１６
【課題を解決するための手段】
【０００６】
本発明は、このような点を解消したスライス食パン分割搬出装置を提供することを目的としている。
【０００７】
すなわち、本発明は
搬送方向に直線的に延びる搬送面（以下に説明する本発明の実施形態では参照番号１２で示す）を有し、スライス食パンをそのスライス面が該搬送面に対して直立した状態で且つスライス面相互が接するようにして該搬送方向で並べ該搬送面上に載せて前進・停止の間欠搬送作用を行う搬送手段と、
停止された該スライス食パンの該搬送面の前端部分（２５）上にある所定枚数を掬い上げて搬出する搬出手段と、
を有し、
該搬出手段が、該搬送面（１２）から搬送方向に延びる仮想延長面（２７）上若しくは該仮想延長面より下の位置において、該仮想延長面に平行で該搬送方向に対して直交する方向に延びる回転中心軸線（２６）を有する回転搬出部材（１６）を有し、
該回転搬出部材（１６）が、該回転搬出部材の回転にともなって、該搬送面（１２）の前端部分（２５）を上方に通過して該前端部分上の該所定枚数のスライス食パンを載せて上方へ搬出する搬出面（２８）を有し、該所定枚数のスライス食パンを載せるときの該搬出面（２８）が、該仮想延長面（２７）に沿って延び、若しくは、該仮想延長面に対して傾斜して当該回転搬出部材（１６）の半径方向内側に向うに従い該仮想延長面（２７）から離れるようにされていることを特徴とするスライス食パン分割搬出装置を提供する。
【０００８】
すなわち、この装置においては、回転搬出部材の回転中心軸線（２６）、及び、上記搬出面（２８）が上記の如くされているので、搬出面がスライス食パンを掬い上げる瞬間から、該スライス食パンは、搬送面（１２）上に残されるスライス食パンから離れる方向での円弧線にそって動かされる。このため、搬送面（１２）上に残されるスライス食パンとの間で摩擦を生じることなく、円滑な分割搬出を行うことが可能である。また、分割搬出されるスライス食パンは、直線状の搬送面（１２）上を搬送されるものであり、前述した分割搬出されるスライス食パンの搬送方向を変えて傾斜部に送るようにした従来装置に比べて搬送速度を速くすることが可能となる。実際の試作機においては、毎分６０〜７０回の分割搬出を可能とすることができた。
【０００９】
なお、ここで搬送面（１２）とは、スライス食パンを載せる搬送プレート（１４）の面として、該面に載せたスライス食パンを後方から前方に押し出すようにしても、また、ベルトコンベアの面とすることもできる。搬送プレートの面とするときには、その先端部分を櫛歯状とするとともに、搬出面を補完的櫛歯状とすることが考えられ、ベルトコンベアの面とするときは、幅の狭いベルトコンベアを幅方向で間隔をあけて複数設定し、搬出面はそれらのベルトコンベア間の隙間を通るような形状のものとすることが考えられる。
【００１０】
また、本発明は、
搬送方向に直線的に延びる搬送面（１２）を有し、スライス食パンをそのスライス面が該搬送面に対して直立した状態で且つスライス面相互が接するようにして該搬送方向で並べ該搬送面（１２）上に載せて前進・停止の間欠搬送作用を行う搬送手段と、
停止された該スライス食パンの該搬送面の前端部分上にある所定枚数を掬い上げて搬出する搬出手段と、
を有し、
該搬送面の前端部分（２５）が、該搬送面における該前端部分より搬送方向上流側の部分に対して段差をもった下の位置で平行に設定され、
該搬出手段が、該前端部分（２５）から搬送方向に延びる仮想延長面（２７）若しくは該仮想延長面より下の位置において該仮想延長面に平行で該搬送方向に対して直交する方向に延びる回転中心軸線（２６）を有する回転搬出部材（１６）を有し、
該回転搬出部材（１６）が、該回転搬出部材の回転にともなって、該搬送面の前端部分（２５）を上方に通過して該前端部分上の該所定枚数のスライス食パンを載せて上方へ搬出する搬出面（２８）を有し、該所定枚数のスライス食パンを載せるときの該搬出面（２８）が、該仮想延長面（２７）に沿って延び、若しくは、該仮想延長面に対して傾斜して当該回転搬出部材（１６）の半径方向内側に向うに従い該仮想延長面（２７）から離れるようにされていることを特徴とするスライス食パン分割搬出装置を提供する。
【００１１】
この装置は、上記第１番目の装置と同様な作用効果が得られるほか、搬送面（１２）の前端部分（２５）と該搬送面における該搬送方向上流側の部分との間に段差を設けたので、スライス食パンが柔らかく、相互に接するスライス面間がくっつきやすい場合であっても、前端部分（２５）に達したスライス食パンの先頭部分が、この段差分だけ落ちるので、より円滑な分割搬出作用を行うことが可能となる。
【００１２】
本発明はまた、
搬送方向に直線的に延びる搬送面（１２）を有し、スライス食パンをそのスライス面が該搬送面に対して直立した状態で且つスライス面相互が接するようにして該搬送方向で並べ該搬送面（１２）上に載せて前進・停止の間欠搬送作用を行う搬送手段と、
該搬送手段から押し出されてくる該スライス食パンの先頭部分の所定枚数を受け入れて搬出する搬出手段と、
を有し、
該搬出手段が、該搬送面（１２）から搬送方向に延びる仮想延長面（２７）上若しくは該仮想延長面より下の位置において、該仮想延長面（２７）に平行で該搬送方向に対して直交する方向に延びる回転中心軸線（２６）を有する回転搬出部材（１６）を有し、
該回転搬出部材（１６）が、
該搬送手段によって搬送され、該搬送面（１２）の前端縁（３１）から押し出される所定枚数のスライス食パンを載せて搬出する搬出面（２８）を有し、
該回転搬出部材（１６）が、回動・停止の間欠的回動がなされるようにされ、
該搬出面（２８）が、該回転搬出部材（１６）の停止したときに、該搬送面（１２）の前端縁（３１）と同じ高さで隣接した位置から、該仮想延長面（２７）に沿って延び、若しくは、該仮想延長面（２７）に対して傾斜して当該回転搬出部材（１６）の半径方向内側に向うに従い該仮想延長面（２７）から離れるようにされた状態で、該搬送面の前端縁（３１）から押し出される所定枚数のスライス食パンを受け取るようになされていることを特徴とするスライス食パン分割搬出装置を提供する。
【００１３】
この装置では、回転搬出部材の搬出面（２８）が、上記第１番目の装置における搬送面（１２）の前端部分の機能を持つようにされている。
【００１４】
更に、本発明は、
搬送方向に直線的に延びる搬送面（１２）を有し、スライス食パンをそのスライス面が該搬送面に対して直立した状態で且つスライス面相互が接するようにして該搬送方向で並べ該搬送面上に載せて前進・停止の間欠搬送作用を行う搬送手段と、
該搬送手段から押し出されてくる該スライス食パンの先頭部分の所定枚数を受け入れて搬出する搬出手段と、
を有し、
該搬出手段が、該搬送面（１２）から搬送方向に延びる仮想延長面（２７）上若しくは該仮想延長面より下の位置において、該仮想延長面（２７）に平行で該搬送方向に対して直交する方向に延びる回転中心軸線（２６）を有する回転搬出部材（１６）を有し、
該回転搬出部材（１６）が、
搬送手段によって搬送されて該搬送面（１２）の前端縁（３１）から押し出される所定枚数のスライス食パンを載せて搬出する搬出面（２８）を有し、
該回転搬出部材が、回動・停止の間欠的回動がなされるようにされ、
該搬出面（２８）が、該回転搬出部材（１６）の停止したときに、該搬送面（１２）の前端縁（３１）に段差をもった下の位置から、該仮想延長面（２７）に沿って延び、若しくは、該仮想延長面（２７）に対して傾斜して当該回転搬出部材（１６）の半径方向内側に向うに従い該仮想延長面（２７）から離れるようにされた状態で、該搬送面の前端縁（３１）から押し出される所定枚数のスライス食パンを受け取るようになされていることを特徴とするスライス食パン分割搬出装置を提供する。
【００１５】
この装置では、回転搬出部材の搬出面（２８）が、上記第２番目の装置における搬送面の前端部分の機能を持つようにされている。
【００１６】
但し、この装置においては、該搬送手段が、
該搬送面を備える搬送プレート（１４）と、
該搬送プレートに対して該搬送方向で変位可能に設定され、該搬送面（１２）の前端縁（３１）よりも前方に伸張して該搬送面の前端縁（３１）から押し出されてくるスライス食パンを載置する前進位置と、該前進位置から該前端縁（３１）よりも後方に変位されて、載置していたスライス食パンを、停止されている該回転搬出部材（１６）の該搬出面（２８）上に落とし載せる補助プレート（４８）と
を有するようにすることもできる。
【００１７】
上記第１及び第２番目の装置においては、
回転搬出部材（１６）が間欠的に回動されるようになされ、搬出面（２８）が該搬送面（１２）の該前端部分（２５）と同じ高さ若しくはその下の位置で該前端部分に隣接とされた状態で停止されるようにし、
該回転搬出部材（１６）が停止された位置において、該搬送面の該前端部分に押し出されてくる所定枚数のスライス食パンの前端面に隣接して、該スライス食パンが倒れないように支持する支持部材（３２）を有するようにすることができる。
【００１８】
この支持部材（３２）は、搬送面（１２）の該前端部分（２５）に押し出されてくるスライス食パンの前端面によって半径方向内側に変位されるようにして、分割搬出される所定枚数のスライス食パンが、該支持部材（３２）と搬送面（１２）上に残されるスライス食パンとの間に挟まれ安定した状態で、該搬送面（１２）の前端部分（２５）上に押し出されるようにすることができる。
【００１９】
また、支持部材（３２）を、所定枚数のスライス食パンが該前端部分（２５）上に押し出されたときの該スライス食パンの前端面に隣接する位置にあらかじめ設定し、押し出されてきたスライス食パンを受け止めるように設定することもできる。具体的には、
支持部材（３２）を該半径方向内側に付勢する付勢手段と、
該付勢手段に抗して支持部材を該方向半径方向外側で変位させるカム手段（３８）であって、該支持部材（３２）が、該回転搬出部材（１６）が停止された状態において、該搬送面（１２）の前端部分（２５）に該所定枚数のスライス食パンが押し出されたときの該スライス食パンの前端面と接する位置となるようにし、該回転搬出部材（１６）が回動されて該支持部材（３２）が該回転搬出部材（１６）と共に回動されるときに、該支持部材（３２）が該付勢手段によって半径方向内側に変位されるのを許容するカム輪郭曲面（４１）を有するカム手段と
を有するようにすることができる。
【００２０】
上記第３及び第４番目の装置においても、同様に、
該回転搬出部材が停止された位置において、該搬送面から押し出されてくる所定枚数のスライス食パンの前端面に隣接して、該スライス食パンが倒れないように支持する支持部材を有するようにすることができる。
【００２１】
この場合も、支持部材（３２）は、搬送面（１２）の該前端部分（２５）に押し出されてくるスライス食パンの前端面によって半径方向内側に変位されるようにして、分割搬出される所定枚数のスライス食パンが、該支持部材（３２）と搬送面（１２）上に残されるスライス食パンとの間に挟まれ安定した状態で、該搬送面（１２）の前端部分上に押し出されるようにすることができる。
【００２２】
また、支持部材（３２）を、所定枚数のスライス食パンが該前端部分（２５）上に押し出されたときの該スライス食パンの前端面に隣接する位置にあらかじめ設定し、押し出されてきたスライス食パンを受け止めるように設定することもできる。具体的には、
支持部材（３２）を該半径方向内側に付勢する付勢手段と、
該付勢手段に抗して該支持部材（３２）を該方向半径方向外側に変位させるカム手段であって、該支持部材（３２）が、該回転搬出部材（１６）が停止された状態において、該搬出面（２８）上に送り出されたスライス食パンの所定枚数分の前端面が接する位置となるようにし、該回転搬出部材（１６）が回動されて該支持部材（３２）が該回転搬出部材（１６）と共に回動されるときに、該支持部材が該付勢手段によって半径方向内側に変位されるのを許容するカム輪郭曲面（４１）を有するカム手段（３８）と
を有するようにすることができる。
【発明の効果】
【００２３】
本発明に係るスライス食パン分割搬出装置においては、搬出されるスライス食パンと搬送面上に残されるスライス食パンとの間で摩擦を実質的になくすことができ、円滑な分割搬出を行うことが可能である。分割搬出されるスライス食パンは、直線状の搬送面上を搬送されるものであり、前述した分割搬出されるスライス食パンの搬送方向を変えて傾斜部に送るようにした従来装置に比べて搬送速度を速くすることが可能となる。
【発明を実施するための最良の形態】
【００２４】
以下、本発明に係るスライス食パン分割搬出装置の実施形態を添付図面に基づき説明する。
【００２５】
図１及び図２は、本発明に係るスライス食パン分割搬出装置１０を示している。
【００２６】
該スライス食パン分割搬送装置１０は、スライス食パンＳを搬送するための水平な搬送面１２を備える搬送プレート１４と、該搬送プレートからスライス食パンを所定枚数づつ搬出するための回転搬出部材１６とを有している。
【００２７】
搬送プレート１４は、主プレート１８と該主プレートの前端に、該主プレートに対して段差をもった下の位置で平行に取り付けられた前端プレート２０とから構成され、それらの上面が搬送面１２を構成している。前端プレート２０は、図１に示すように、幅方向中央にある幅広部分２２と、該幅広部分の両側に隙間２３、２３を介して設けられた両側部分２４とを有する。
【００２８】
回転搬出部材１６は、前端プレート２０の上面（搬送面１２の前端部分）２５から搬送方向に延びる仮想延長面２７上で、又は、（図示のように）該仮想延長面２７より下の位置において該仮想延長面に平行で、該搬送方向に対して直交する方向に延びる回転中心軸線２６の周りで（図で見て）時計方向に回動されるようになっている。
【００２９】
回転搬出部材１６は、その外周面に周方向で所定間隔をあけて設けられた複数の搬出面２８を有している。図１に示すように、該回転搬出部材１６は、回転中心軸線２６の方向で間隔をあけて設けられた２枚の板状部材３０，３０から構成されており、該板状部材３０，３０の外周縁は、前端プレート２０の隙間２３，２３を通るようになっており、搬出面２８が該隙間２３，２３を下から上に通過することにより、該前端プレート１４上に載せられているスライス食パンを掬い上げるようになっている。
【００３０】
搬出面２８は、前端プレート２０上のスライス食パンを掬い上げるときに、前端プレートの上面（搬送面１２の前端部分）２５から前方に延びる仮想延長２７面に沿って延び、又は、該仮想延長面２７に対して傾斜して当該回転搬出部材の半径方向内側に向うに従い該仮想延長面２７から離れるようにする。これは、搬出面２８が逆向きに傾斜しているとすると、掬い上げられるスライス食パンが、主プレート１８側に倒れる傾向になり、該主プレート上に残されるスライス食パンとの間に摩擦が生じて当該スライス食パンの円滑な救い上げ（搬出）の支障になることを防ぐためである。
【００３１】
回転搬出部材１６は、各搬出面２８に沿って変位可能とされたパン支持部材３２を備えている。回転搬出部材１６は回転中心軸線２４の周りで回動・停止の間欠的回動を行なうようにされており、各停止のときに、１つの搬出面２８が、前端プレートの上面２５に沿って延びるか、又は、（図示のように）該上面２５の下で該上面に隣接した状態とされとともに、パン支持部材３２は、前端プレート２０上に押し出されてくるスライス食パンの所定枚数分（図示の例では２枚分）だけ、主プレート１８の前端縁３１から離れた位置となるようにされている。図示の例では、回転搬出部材１６の板状部材３０の外側に、２つのパン支持部材３２が設定されており、それぞれ、一対のピン３４，３４が設けられて、該ピンが板状部材３０に形成された一対のスロット３６，３６によってガイドされて搬出面２８に沿って変位できるようになっており、図示しないバネによって当該回転搬出部材の半径方向内向きに付勢されている。回転搬出部材の板状部材３０の外側には、カム部材３８，３８が設定されており、該カム部材は、各パン支持部材が前端プレート２０に隣接する位置で停止されるときに、該パン支持部材をバネに抗して半径方向外側に押し出して、前端プレート上に押し出されるスライス食パンの所定枚数分だけ主プレートの前端縁３１から離れた位置とするようにすると共に、搬出面２８がスライス食パンを掬い上げて上方へ変位していくに従って、パン支持部材３２がバネによって半径方向内側に引き込まれるのを許容するようなカム輪郭曲線４１を有している。該カム部材は、図２で見て、左右の方向で変位可能とされており、当該装置において分割搬出するスライス食パンの枚数に応じて、その位置を調節できるようになっている。図中、４３はパン支持部材３２に回転自在に取り付けられてカム部材に係合されるローラを示す。
【００３２】
図示の例では、主プレート１８の前端上方位置にパン押え部材４２が上下方向で変位可能に設定されており、スライス食パンが搬送面１２上で動かされて停止される瞬間に図２の位置とされ、主プレート１８上のスライス食パンの先頭部分を押さえるようになっている。また、該パン押え部材４２に隣接した位置には、円弧状に配置された一連のガイドローラ４４が設けられており、搬出面２８に載せられて搬出されるスライス食パンが、搬出面２８の外側に向けて倒れないようにしている。回転搬出部材１６によって搬出され、ほぼ９０度回動されたスライス食パンは水平にして重ねられた状態となり、搬出用ベルトコンベア４６上によって受け取られて、図示しない包装機に向けて搬出されるようになっている。
【００３３】
本装置におけるスライス食パンの分割搬出動作は、次の通りである。先ず、回転搬出部材１６が、その１つの搬出面２８が図２に示す位置となった状態で停止される。次に、図示しないプッシャーによって、スライス食パンＳが搬送面１２上を押し進められて、その先頭の２枚が主プレートの前端縁３１を越えて前端プレート２０上に落下して載置されるようにして停止される。この状態で、それまでスライス食パンから離れていたパン押え部材４２が主プレートの前端にあるスライス食パンの頂部に係合して保持する。次に、回転搬出部材１６が時計方向に回動されて、前端プレート上のスライス食パンが搬出面２８により掬い上げられ、次の搬出面２８が図２の位置になるまで回動された時点で停止され、続いて、上記と同じ動作が繰り返される。前端プレート２０から掬い上げられたスライス食パンは、回転搬出部材の２回目の間欠的回動がなされた時点で、搬出ベルトコンベア４６上に移され、包装機に向けて搬出される。
【００３４】
図３には、この装置において、回転中心軸線２６が前端プレート２０の上面から延びる仮想面２７上にあるようにした場合の、スライス食パン掬い上げ状態が示されており、前端プレート２０上に押し出されたスライス食パンが、搬出面２８によって掬い上げられるときの軌跡を示している。図示のように、前端プレート２０上に載せられたスライス食パンの２枚目Ｓ２と、主プレート１８上に残されたスライス食パンの１枚目Ｓ１とは、そのスライス面が相互に接する状態となっているが、前端プレート２０上のスライス食パンが搬出面２８によって掬い上げられる瞬間から、該スライス食パンは、上記スライス面を接線とする円弧に沿って主プレート１８上に残されるスライス食パンから離れる方向に動かされ、従って、残されるスライス食パンと搬出されるスライス食パンとの間には実質的な摩擦は生じない。
【００３５】
このことは、図４に示すように、主プレート１８と前端プレート２０との間に段差を設けない場合であって、回転中心軸線２６が主プレート１８の上面（搬送面１２）から延びる仮想面２７上にある場合も同様であるが、図３の場合は、前端プレート２０上のスライス食パンが、段差のために、主プレート１８上のスライス食パンから予めずり落ちた状態となるため、更に、掬い上げられるスライス食パンは、主プレート上に残されるスライス食パンの前面のスライス面からより早く離れるように円弧運動するので、上述の摩擦の問題をより確実に回避することができる。
【００３６】
図５には、本発明に係るスライス食パン分割搬出装置の他の実施形態が示されている。
【００３７】
この装置は、その基本的構成は図１及び図２に示したものと同じであるが、パン支持部材３２が、その自重によって、搬出面２８に沿って可動なるようにされている。すなわち、該パン支持部材３２は、回転搬出部材１６が回転中心軸線２６を中心に回動するに従って変位可能とされており、搬出面２８が回転中心軸線２６の垂直方向下方の位置に来たときのパン支持部材３２は、当該回転搬出部材１６の半径方向で最も外側の位置となり、該回転搬出部材１６が回動され、同搬出面２８が前端プレート２０に隣接した位置で停止されたときに、半径方向での同じ位置に維持されるようになっている。そして、この状態で搬送プレート１４上のスライス食パンが、プッシャーによって押され、先頭のスライス食パンが前端プレート２０上に押し出されてくると、該スライス食パンの前端面が該パン支持部材に係合して、半径方向内側に押し込むようになっている。
【００３８】
この装置では、このように、前端プレート２０上に押し出されるスライス食パンが、パン支持部材３２と主プレート１８上のスライス食パンとの間に挟まれた状態で動かされるので、腰折れなどの虞がまったくなく安定した操作が可能となる。
【００３９】
図６は、本発明に係るスライス食パン分割搬出装置の更に別の実施形態が示されている。
【００４０】
すなわち、図１及び図２に示した装置と構成、動作ともに類似するものであるが、前端プレート２０に相当する補助プレート４８が、主プレート１８の前端部下面に搬送方向で変位可能に取り付けられている。この補助プレート４８は、実線で示した前進位置と破線で示した後退位置との間で変位可能とされており、前進位置では、分割搬出されるスライス食パンを載せ、後退位置では、該スライス食パンをその下方位置で停止されている（回転搬出部材１６の）搬出面２８上に落とすようになっている。
【００４１】
図７は、本発明に係るスライス食パン分割搬出装置の更に別の実施形態を示している。
【００４２】
すなわち、このスライス食パン分割搬出装置においては、図６に示した実施形態のものと同様に主プレート１８、補助プレート４８を有し、スライス食パンを該補助プレート４８上に押し出した後、該補助プレート４８を後方に引いて、その上に載置されていたスライス食パンを搬出手段に落とすようにしたものであるが、該搬出手段が、図６における板状部材３０により構成した回転搬出部材１６と異なり、無端チェーンを用いるようにした点で異なっている。
【００４３】
すなわち、該搬出手段５０は、多数のＬ形のパン搬出用部材５２を有し、該搬出用部材５２は、図示のように、図６の実施形態における搬出面２８に相当する搬出面５３が、補助プレート４８からスライス食パンを受け取る位置にあるときに水平となり、その後、９０度回動して、スライス食パンを上下に積み上げた状態で搬送し、次の搬出用コンベア４６に移すようにしてある。パン搬出用部材５２にこのような動きをさせるために、２対の無端チェーン５４、５６が取り付けられている。各対の無端チェーン５４，５６は、それぞれ、水平方向で間隔をあけられ平行に設定された無端チェーン（図７においては、一方のみを示す）からなり、無端チェーン５４は、パン搬出用部材５２の端部５８を枢着し、無端チェーン５６は、中間部６０を枢着している。無端チェーン５４はスプロケット６１，６３に掛けられ、無端チェーン５６がスプロケット６２，６４，６６，６８に掛けられている。スプロケット６０とスプロケット６２とは、垂直方向で整合されており、搬出用部材５２の端部５８及び中間部６０がそれぞれスプロケット６０，６２の最下点を通り９０°を越える所定の角度だけ回動するときには、相互に並行移動し、搬出面５３が水平を維持したまま移動し、該所定の角度を越えて回動するときには、端部５８が中間部６０よりも（図で見て）右方へ先行して、それにより該パン搬出用部材５２が傾き、搬出面５３が上述の水平位置から垂直位置へ回動する。このとき搬出面５３は、スライス食パンを受ける水平位置から所定の角度の間は、その水平位置を保ちつつ、スプロケット６２の周りを回り、主プレート１８から離れるように移動する。
【００４４】
１つのパン搬出用部材５２が、主プレート１８から押し出されたスライス食パンを支持している補助プレートの真下の位置に来たときに、該補助プレート４８は図示のように後退され、その上にあったスライス食パンは、該パン搬出用部材５２の上に落とされる。このパン搬出用部材５２は、上述のように、搬出面５３を水平にした姿勢を維持したまま上方且つ主プレート１８からは離れる方向に動かされる。
【００４５】
各パン搬出用部材５２には、図６の実施形態におけるパン支持部材３２に相当する部材７０が枢着されている。該部材７０は、スプロケット６２とほぼ同心状にして固定された半円形状をしたカム部材７２によって動かされるようになっており、パン搬出用部材５２が補助プレート４８からスライス食パンを受け取る位置にあるときには、該パン搬出用部材５２上に所定枚数（図示の例では３枚）のスライス食パンを受け入れるだけ主プレート１８の前端縁から離れた位置とされて、補助プレート４８から該パン搬出用部材５２上に移されるスライス食パンの前端面を支持するとともに、パン搬出用部材５２が該位置から上方へ動かされるにつれて該スライス食パンの前端面から離れ、スライス食パンが図示のようにパン搬出用部材５２に水平に載せられた状態になるのを許容するようにされる。
【００４６】
この搬出手段５０のパン搬出部材５２は、スプロケット６６の周りを上方から下方へ動かされるときに、スライス食パンを次の搬出用コンベア４６に移すようになっており、このときのパン搬出用部材５２は、搬出用コンベア４６が食パンを搬送する方向（図における右方）での速度が減速されるようになるので、搬出用コンベア４６の搬出速度をそれ程大きくしなくても、スライス食パンの移しかえ作業を円滑に行うことができる。
【００４７】
図８は、図７のものとほぼ同じ構成を有するスライス食パン分割搬出装置を示しており、図７のものと同じ構成エレメントには、同じ参照番号を付して示してある。
【００４８】
このスライス食パン分割搬送装置の図７のものと異なる点は、パン支持部材７０にある。すなわち、この装置においては、無端チェーン５４，５６は間欠的に動かされるようになっており、Ｌ型のパン搬出用部材５２が順次、搬送プレート１８の前端位置で停止され、該搬出用部材５２の搬出面５３が補助プレート４８の面とほぼ同じレベルとなるようにされる。このときの搬出用部材５２のパン支持部材７０は、搬送プレート１８の前端縁からほぼスライス食パン１枚分だけ離れた状態とされ、搬送プレート１８からスライス食パンが押し出されてくると、該スライス食パンによって押されて後退されるようになっている。すなわち、この装置では、図５に示した装置と同様に、搬送プレート１８から押し出されてくるスライス食パンを、該パン支持部材７０と搬送プレート１８上のスライス食パンとの間で挟んだ状態で、補助プレート４８上に受け入れるようになっている。パン支持部材７０がこのような動作を行うようにするために、該パン支持部材７０は、搬出用部材５２の搬出面５３に沿って摺動可能とされている。そして、搬出用部材７０が搬送プレート１８からスライス食パンを受け取って、無端チェーンによって、図で見て右端まで動き、スライス食パンを搬出用コンベア４６に移してから下方に移動するときに、該パン支持部材７０が、その搬出用部材７０の移動経路に配置されたカム部材のカム面７２と摺動係合して、該搬出用部材７０における搬出面５３の前方に押し出されるようになっている。そして、パン支持部材７０は、その状態を維持したまま、前述のように搬送プレートの前端位置に運ばれるようになっている。図８において、参照番号７４はパン支持部材７０にもうけられた一対のピンをガイドするガイドスロット７６を有するガイド部材を示す。
【００４９】
以上、本発明に係るスライス食パン分割搬出装置の実施形態につき述べてきたが、本発明に係る装置はこれら形態に限定されるものではない。例えば、以上で説明した実施形態では、分割搬出するスライス食パンを、前端プレート２０又は補助プレート４８によって一旦受け止めてから、これを回転搬出部材の搬出面に載せて搬出するようにされているが、回転搬出部材は上述のように間欠的に回動されるようにされているので、前端プレートを設けずに、主プレート１８から押し出されるスライス食パンを直接搬出面で受け止めるようにすることもできる。また、図１及び図２で示した実施形態では、パン支持部材を主プレートの前端縁から、前端プレート上に押し出されるスライス食パンの枚数分だけ離すようにしたものを示したが、それよりも大きな間隔をあけるようにして、主プレート上に残されるスライス食パンと前端プレート上に押し出されたスライス食パンとの間に隙間ができるようにすることもできる。更に、図示の例では、パン支持部材がスライス食パンと接する面は、搬送面に対して直角になるようにされているが、ある程度傾斜したものとして、前端プレート上に押し出されたスライス食パンが該傾斜面に倒れるようにすることにより、該スライス食パンと主プレート上に残されたスライス食パンとの間に間隔があくようにすることもできる。
【図面の簡単な説明】
【００５０】
【図１】本発明に係るスライス食パン分割搬出装置の概略平面図である。
【図２】同スライス食パン分割搬出装置の概略側面図である。
【図３】同スライス食パン分割搬出装置において分割搬出されるスライス食パンの動作説明図である。
【図４】パンの搬送面の前端部分に段差を設けない場合において分割搬出されるスライス食パンの動作説明図である。
【図５】本発明に係るスライス食パン分割搬出装置の他の実施形態を示す概略側面図である。
【図６】本発明に係るスライス食パン分割搬出装置の更に他の実施形態の要部を示す概略側面図である。
【図７】本発明の更に別の実施形態に係るスライス食パン分割搬出装置の概略側面図である。
【図８】図７の変形例としてのスライス食パン分割搬出装置の概略側面図である。
【符号の説明】
【００５１】
Ｓ  スライス食パン；１０  スライス食パン分割搬出装置；１２  搬送面；１４  搬送プレート；１６  回転搬出部材；１８  主プレート；２０  前端プレート；２２  幅広部分；２３、２３  隙間；２４  両側部分；２５  搬送面の前端部分；２７  仮想延長面；２６  回転中心軸線；２８  搬出面；３０，３０  板状部材；３１  主プレート前端縁；３２  パン支持部材；３４  ピン；３６  スロット；３８  カム部材；４１  カム輪郭曲線；４２  パン押え部材；４３  ローラ；４４  ガイドローラ；４６  搬出用ベルトコンベア；４８  補助プレート；５０  搬出手段；５２  パン搬出用部材；５３  搬出面；５４、５６  無端チェーン；５８  端部；６０  中間部；６２，６４，６６，６８  スプロケット；７０  パン支持部材３２に相当する部材
【図１】
2008007282.tif 000003
【図２】
2008007282.tif 000004
【図３】
2008007282.tif 000005
【図４】
2008007282.tif 000006
【図５】
2008007282.tif 000007
【図６】
2008007282.tif 000008
【図７】
2008007282.tif 000009
【図８】
2008007282.tif 000010